(57)【特許請求の範囲】
【請求項１】
時分割双方向通信方式により単一周波数チャネルでデジタル変復調された無線通信を行う第１送受信局と、第２送受信局と、を含む無線通信システムにおいて、
前記第１送受信局は、
前記第２送受信局から受信し、アナログ−デジタル変換の後段で取得した受信複素ベースバンドデジタル信号に基づいて、前記第２送受信局のキャリア周波数に対する周波数オフセットを推定する周波数オフセット推定手段と、
推定された周波数オフセットに応じて、当該第１送受信局における受信複素ベースバンドディジタル信号を補正する第１の周波数補正手段と、
前記周波数オフセットに応じて、デジタル−アナログ変換の前段で当該第１送受信局における送信複素ベースバンドディジタル信号を補正することで、前記第２送受信局の送受信のキャリア周波数に適合させる第２の周波数補正手段と、
を有することを特徴とする無線通信システム。
【請求項２】
請求項１に記載の無線通信システムにおいて、
前記周波数オフセット推定手段は、
前記第２の送受信局にて生成される受信複素ベースバンド信号の振幅値が一定となる推定区間で、前記受信複素ベースバンドデジタル信号の位相差を用いて推定区間内での平均化を行い、周波数オフセットを推定することを特徴とする無線通信システム。
【請求項３】
請求項１に記載の無線通信システムにおいて、
前記周波数オフセット推定手段は、
前記第２の送受信局からの過去の到来バーストでの周波数オフセット推定値を用い、前記周波数オフセット推定値に前回周波数オフセット推定値による補償後に残留する周波数オフセット推定値を重み付け加算することで、前記周波数オフセットを推定することを特徴とする無線通信システム。
【請求項４】
請求項１から３のいずれか１項に記載の無線通信システムにおいて、
前記第２送受信局は、
複数の前記第１送受信局と時分割多元接続方式により送受信を行うことを特徴とする無線通信システム。
【発明の詳細な説明】
【０００１】
【発明の属する技術分野】
本発明は、時分割双方向通信方式により単一周波数チャネルで送信及び受信の双方向の無線通信を行う無線通信システムにおいて、相互に送受信を行う送受信局間での送受信周波数のオフセットの補償に関し、特に、加入者系無線アクセスシステムに適用され得る。
【０００２】
【従来の技術】
加入者伝送方式として、無線を使用すると、線路を敷設する必要がないため、導入コストを低減できる。加入者系無線アクセスシステムはその典型例であり、複数の加入者の比較的近くに基地局を配置し、基地局と各加入者局との間をマイクロ波やミリ波による無線伝送路で接続する。図２は、１つの基地局に対し複数の加入者局が接続される加入者系無線アクセスシステムの模式図である。ここでは基地局２に対し、４つの加入者局４-1〜４-4が接続され、基地局から加入者局への伝送方向を「下り」、加入者局から基地局への伝送方向を「上り」と呼ぶ。
【０００３】
この加入者系無線アクセスシステムにはいくつかの方式があるが、その１つに、単一の周波数チャネルを時分割で下りバースト及び上りバーストの双方の伝送に用いる時分割双方向通信方式（Time Division Duplex：ＴＤＤ）がある。図３は、この時分割双方向通信方式によるバーストの時系列を示す模式図であり、横軸が時間軸であり、例えば、まず下りバースト６が基地局２から送信される。下りバースト６は各加入者局４で受信される。例えば、下りバースト６には、各加入者局４が上りバーストを送信するタイミングが指定され、各加入者局４-1〜４-4はそれぞれ、そのタイミングに従って上りバースト８-1〜８-4を送信する。ＴＤＤ方式により、単一の周波数チャネル上で上りバーストと下りバーストとを衝突せずに伝送することができる。また、複数の加入者局が、複数の時分割多元接続方式（Time Division Multiple Access：ＴＤＭＡ）によって、１つの基地局に接続される。
【０００４】
図４は、従来の加入者系無線アクセスシステムにおける基地局と加入者局との構成を示すブロック図である。加入者局と基地局とは基本的に同じ構成である。加入者局の送信系において、デジタル信号で得られる送信データは、変調回路１０にて例えばＱＰＳＫ（Quadrature Phase Shift Keying）による変調を施され、Ｉ信号、Ｑ信号が生成される。発振器１２は所定周波数ｆ１αの副搬送波を発生し、直交変調回路１４は、これをＩ信号、Ｑ信号で直交変調する。直交変調信号は、発振器１６が発生する所定周波数ｆ１βの搬送波と混合され、キャリア周波数（ｆ１α＋ｆ１β）の信号にアップコンバートされ、増幅後、アンテナ１８から基地局へ送信される。
【０００５】
一方、加入者局の受信系では、発振器１６が発生する周波数ｆ１βの信号と、発振器１２が発生する周波数ｆ１αの信号とをそれぞれ基準信号として、アンテナ１８にて受信された基地局からの受信信号がベースバンド周波数のＩ信号、Ｑ信号に変換される。そしてＱＰＳＫ信号であるＩ信号、Ｑ信号は復調回路２２にて復調され、受信データが出力される。この受信系での受信信号からベースバンド信号への変換において、受信信号のキャリア周波数として周波数が（ｆ１α＋ｆ１β）だけダウンコンバートされる。
【０００６】
基地局の送信系、受信系においても同様の処理が行われる。ここで、基地局における副搬送波を発生する発振器３０の周波数をｆ２α、搬送波を発生する発振器３２の周波数をｆ２βとすると、基地局から加入者局への送信信号のキャリア周波数は（ｆ２α＋ｆ２β）となる。一方、受信信号に対しては、そのキャリア周波数が（ｆ２α＋ｆ２β）であるとして、それを検波により除去する処理を行う。
【０００７】
【発明が解決しようとする課題】
ＴＤＤ方式では、単一周波数チャネルで双方向の通信が行われるため、理想的には加入者局側にて送受信処理に用いられるキャリア周波数（ｆ１α＋ｆ１β）と基地局側にて送受信処理に用いられるキャリア周波数（ｆ２α＋ｆ２β）とは一致する。しかし、実際には、発振器の精度や安定性に起因して、それらキャリア周波数は互いに相違し、両者間に周波数オフセットΔｆが生じ得る。この周波数オフセットΔｆは、受信処理において残留キャリア周波数、すなわちベースバンド信号からの周波数ずれを生じ、受信データの誤り率特性を劣化させるという問題があった。
【０００８】
そこでΔｆを例えば、各バーストに含まれるプリアンブル等に基づいて推定し補正することが考えられる。しかし、周波数オフセットが大きい場合、その推定処理の負荷が大きくなる。具体的には、プリアンブルに含まれる情報で推定を行う場合、１バーストで推定を終えるためにはプリアンブル長を大きくすることが必要となり、データ伝送のスループットが低下するという問題がある。一方、プリアンブル長を抑制する場合には、複数のバーストにわたって推定が行われることとなり、推定時間が増大するという問題がある。
【０００９】
さらに、基地局に複数の加入者局が接続される一対多方向方式（Point-to-Multi Point：Ｐ−ＭＰ）の通信では、各加入者局毎に周波数オフセットが異なり得るため、基地局では、各加入者局毎に周波数オフセットの推定処理を行わなければならず、また、上りバースト毎に周波数オフセットに対する補正量を切り替えることが必要となる。つまり、基地局における周波数オフセットの推定及び補正処理の負荷が加入者局数の増加と共に増大するという問題があった。
【００１０】
本発明は上記問題点を解決するためになされたもので、周波数オフセットの推定及び補正処理の負荷が軽減されるＴＤＤ方式の無線通信システムを提供することを目的とする。
【００１１】
【課題を解決するための手段】
本発明に係る無線通信システムは、時分割双方向通信方式により単一周波数チャネルでデジタル変復調された無線通信を行う第１送受信局と、第２送受信局と、を含む無線通信システムにおいて、前記第１送受信局は、前記第２送受信局から受信し、アナログ−デジタル変換の後段で取得した受信複素ベースバンドデジタル信号に基づいて、前記第２送受信局のキャリア周波数に対する周波数オフセットを推定する周波数オフセット推定手段と、推定された周波数オフセットに応じて、当該第１送受信局における受信複素ベースバンドディジタル信号を補正する第１の周波数補正手段と、前記周波数オフセットに応じて、デジタル−アナログ変換の前段で当該第１送受信局における送信複素ベースバンドディジタル信号を補正することで、前記第２送受信局の送受信のキャリア周波数に適合させる第２の周波数補正手段と、を有するものである。
【００１２】
本発明によれば、例えば、加入者系無線アクセスシステムにおける基地局及び加入者局のいずれか一方が第１送受信局に、また他方が第２送受信局に相当する。第１送受信局が第２送受信局から受信した受信信号のキャリア周波数は第２送受信局の送受信のキャリア周波数ｆ２、つまり第２送受信局におけるベースバンド信号から送信信号への周波数のアップコンバート量及び受信信号からベースバンド信号への周波数のダウンコンバート量に相当する。一方、第１送受信局のベースバンド信号から送信信号への周波数のアップコンバート量（送信系のキャリア周波数）及び受信信号からベースバンド信号への周波数のダウンコンバート量（受信系のキャリア周波数）をｆ１とする。第１送受信局の周波数オフセット推定手段は、自局での受信系のキャリア周波数ｆ１に対するｆ２のずれ量を周波数オフセットΔｆとして推定する。第１送受信局の周波数補正手段は、推定されたΔｆを用いて、受信系のキャリア周波数ｆ１を第２送受信局の送信系のキャリア周波数ｆ２に適合するように補正する。また、当該周波数補正手段は、推定されたΔｆを用いて、送信系のキャリア周波数ｆ１を第２送受信局の受信系のキャリア周波数ｆ２に適合するように補正する。例えば、Δｆ≡ｆ２−ｆ１とする場合には、現在のｆ１からΔｆだけ増加した周波数を新たなｆ１とすることにより、新たなｆ１はｆ２に一致する。このように、第２送受信局の送信系に適合するように、第１送受信局の受信系にて周波数の補正を行うことにより、第１送受信局での検波後の受信データにおける残留キャリア周波数を０にすることができる。また、第２送受信局の受信系に適合するように、第１送受信局の送信系にて周波数の補正を行うことにより、第２送受信局の受信系では周波数オフセットの推定及び補正を行う必要がない。すなわち、本発明によれば、周波数オフセットの推定及び補正処理は第１送受信局においてのみ行われ、第２送受信局ではその送信系及び受信系のいずれについてもそれら処理は不要となるので、システム全体として周波数オフセットの推定及び補正処理の負荷が軽減される。
【００１３】
他の本発明に係る無線通信システムにおいて、２種類の周波数オフセット推定手段を含む。第１の周波数オフセット推定手段は、前記第２の送受信局にて生成される受信複素ベースバンド信号の振幅値が一定となる推定区間で、前記受信複素ベースバンドデジタル信号の位相差を用いて推定区間内での平均化を行い、周波数オフセットを推定する。第２の前記周波数オフセット推定手段は、前記第２の送受信局からの過去の到来バーストでの周波数オフセット推定値を用い、前記周波数オフセット推定値に前回周波数オフセット推定値による補償後に残留する周波数オフセット推定値を重み付け加算することで、前記周波数オフセットを推定する。さらに、前記第２送受信局は、複数の前記第１送受信局と時分割多元接続方式により送受信を行う。
【００１４】
第２送受信局と第１送受信局との周波数オフセットは、各第１送受信局毎に異なり得る。本発明によれば、複数の第１送受信局それぞれと通信を行う第２送受信局における周波数オフセットの推定及び補正処理が不要であるので、第２送受信局の負荷が著しく軽減される。加入者系無線アクセスシステムにおいては、基地局が第２送受信局に相当する。
【００１５】
【発明の実施の形態】
次に、本発明の実施形態について図面を参照して説明する。
【００１６】
図１は、本発明の実施形態に係るＴＤＭＡ／ＴＤＤ方式の加入者系無線アクセスシステムの構成を示す概略のブロック図であり、基地局５０及びこれに接続される１つの加入者局５２の構成を示すブロック図である。本加入者系無線アクセスシステムは、図２に示したように、１つの加入者局に複数の加入者局がＴＤＭＡ接続されるが、図１においては１つの加入者局のみ示している。以下の説明において、加入者局５２と基地局５０とで同じ機能を果たす構成要素の符号は、同じ数字と両局の識別のための文字“ａ”、“ｂ”との組み合わせで表現する。例えば、基地局５０の変調回路“６０ｂ”は、後述する加入者局５２の変調回路“６０ａ”と同様の機能を有するものであり、このように加入者局の説明において説明したものと同様の基地局の構成要素については説明を省略し、明細書の記載の簡潔化を図る。
【００１７】
加入者局５２の送信系において、デジタル信号で得られる送信データは、変調回路６０ａにて例えばＱＰＳＫ変調を施され、Ｉ信号、Ｑ信号が生成される。変調回路６０ａにて生成されたＩ信号及びＱ信号はΔｆ補正回路６２にて、後述する周波数補正処理を施された後、それぞれＤ／Ａ（Digital-to-Analog）変換器６４ａ，６５ａによりアナログ信号に変換される。アナログ信号に変換されたＩ信号及びＱ信号はそれぞれＬＰＦ（Low-Pass Filter）６６ａ，６７ａにて標本化雑音等の高周波成分を除去された後、直交変調回路６８ａに入力される。
【００１８】
直交変調回路６８ａには発振器７０ａが接続される。発振器７０ａは所定周波数ｆ１αの副搬送波を発生し、直交変調回路６８ａは、これをＩ信号、Ｑ信号で直交変調する。
【００１９】
直交変調信号は、ＢＰＦ（Band-Pass Filter）７２ａを通過した後、混合器７４ａに入力される。混合器７４ａには発振器７６ａが接続される。発振器７６ａは所定周波数ｆ１βの搬送波を発生し、混合器７４ａはこの搬送波と直交変調信号とを混合する。混合器７４ａの出力信号に含まれる、キャリア周波数（ｆ１α＋ｆ１β）にアップコンバートされた信号成分がＢＰＦ７８ａにより送信信号として取り出される。ちなみに、このキャリア周波数（ｆ１α＋ｆ１β）は基地局５０と各加入者局５２とを接続する単一周波数チャネルの帯域内に含まれる。
【００２０】
この送信信号は、増幅器８０ａで増幅された後、送受切換器８２ａを介して、アンテナ８４ａから基地局へ送信される。
【００２１】
一方、加入者局５２の受信系では、アンテナ８４ａで受信された信号のうち基地局５０からの受信信号（キャリア周波数ｆ２とする）は増幅器１００ａで増幅された後、基地局５０との間の単一周波数チャネルの帯域に対応したＢＰＦ１０２ａにより取り出される。ＢＰＦ１０２ａにより取り出された受信信号は混合器１０４ａに入力される。混合器１０４ａは発振器７６ａに接続され、発振器７６ａからの周波数ｆ１βの搬送波と受信信号とを混合する。混合器１０４ａの出力信号に含まれる、キャリア周波数（ｆ２−ｆ１β）にダウンコンバートされた信号成分がＢＰＦ１０６ａにより取り出され、これが直交検波回路１０８ａに入力される。
【００２２】
直交検波回路１０８ａには発振器７０ａが接続される。直交検波回路１０８ａは、発振器７０ａが出力する周波数ｆ１αの搬送波を検波用基準信号として用いて、直交検波を行い、ベースバンド帯域のＩ信号、Ｑ信号を再生する。
【００２３】
再生されたＩ信号及びＱ信号はそれぞれＬＰＦ１１０ａ，１１１ａを通過した後、それぞれＡ／Ｄ（Analog-to-Digital）変換器１１２ａ，１１３ａによりデジタル信号に変換される。デジタル信号に変換されたＩ信号及びＱ信号は、Δｆ補正回路１１６に入力され、その後Δｆ推定回路１１４へ入力される。Δｆ推定回路１１４及びΔｆ補正回路１１６については後述する。
【００２４】
Δｆ補正回路１１６にて後述する周波数補正処理を施された後、Ｉ信号及びＱ信号は、復調回路１１８ａに入力される。復調回路１１８ａは、Ｉ信号及びＱ信号から受信データを復調し出力する。
【００２５】
以上が加入者局５２の構成である。基地局５０は、Δｆ推定回路１１４及びΔｆ補正回路６２，１１６を有さない点以外は、加入者局５２と同様の構成である。すなわち、基地局５０の送信系は、変調回路６０ｂ、Ｄ／Ａ変換器６４ｂ，６５ｂ、ＬＰＦ６６ｂ，６７ｂ、直交変調回路６８ｂ、発振周波数ｆ２αを有する発振器７０ｂ、ＢＰＦ７２ｂ、混合器７４ｂ、発振周波数ｆ２βを有する発振器７６ｂ、ＢＰＦ７８ｂ及び増幅器８０ｂから構成され、これにより送信データから生成された送信信号が、送受切換器８２ｂ及びアンテナ８４ｂを介して送信される。また、基地局５０の受信系には、アンテナ８４ｂ及び送受切換器８２ｂを介して受信信号が入力される。その受信系は、増幅器１００ｂ、ＢＰＦ１０２ｂ、混合器１０４ｂ、ＢＰＦ１０６ｂ、直交検波回路１０８ｂ、ＬＰＦ１１０ｂ，１１１ｂ、Ａ／Ｄ変換器１１２ｂ，１１３ｂ及び復調回路１１８ｂから構成され、入力された受信信号から受信データを生成し出力する。
【００２６】
次に、加入者局５２に設けられるΔｆ推定回路１１４及びΔｆ補正回路６２，１１６の機能について説明する。まず周波数オフセットΔｆとは、基地局５０のキャリア周波数ｆ２（≡ｆ２α＋ｆ２β）と加入者局５２のキャリア周波数ｆ１（≡ｆ１α＋ｆ１β）との差、すなわちΔｆ≡ｆ２−ｆ１である。本システムは原理的には単一周波数の無線伝送路を用いてＴＤＤ方式で双方向の通信を行うものであり、理想的にはｆ１とｆ２とは等しくΔｆ＝０である。しかしながら、実際には、発振器７０ａ，７０ｂ，７６ａ，７６ｂの発振周波数を設計値通りとすることは難しく、また環境や経時変化によって発振周波数は変動する。そのため、Δｆが０にならず、受信性能が劣化する。
【００２７】
混合器１０４ａ及び直交検波回路１０８ａにてそれぞれ周波数ｆ１β，ｆ１αだけダウンコンバートされた結果、Ａ／Ｄ変換器１１２ａ，１１３ａの出力におけるキャリア周波数の残留分は、ｆ２−ｆ１α−ｆ１β、すなわちΔｆである。Δｆ推定回路１１４は、Ａ／Ｄ変換器１１２ａ，１１３ａの出力であるＩ信号及びＱ信号に基づいて、そのΔｆを推定する。ここで、Ａ／Ｄ変換器１１２ａ，１１３ａではサンプル周期Ｔでそれぞれ１シンボル当たりＮ個のサンプルが生成される。Ｉ信号のサンプルをＲＩ(n)、Ｑ信号のサンプルをＲＱ(n)と表すと、受信複素ベースバンド信号Ｒ(n)は次のように表される。
【００２８】
【数１】
0003738223.tif 000002
ここで、Ｓ(nT)は基地局にて生成される送信複素ベースバンド信号、φは送受信の初期位相差、ν(nT)は加法性ガウス雑音である。このように、周波数オフセットΔｆは、ベースバンド信号においてＩチャネル及びＱチャネルの受信信号の位相回転として現れる。
【００２９】
例えば、下りバーストのプリアンブルにΔｆ推定区間として、Ｓ(nT)の振幅値|Ｓ|がｎに依存しない一定値（例えばＣＷ：無変調信号）となる区間を設ける。このΔｆ推定区間においては、
【数２】
Ｅ〔Ｒ＊(ｎ)・Ｒ(ｎ＋Ｋ)〕＝ |Ｓ|２・exp(２πｊＫＴΔｆ)   ………（２）
となる。ここで、Ｅ〔  〕はΔｆ推定区間内での平均化演算、Ｋは遅延時間、(  )＊  は複素共役を表す。Δｆ推定回路１１４は、Ａ／Ｄ変換器１１２ａ，１１３ａから出力されるＲＩ(ｎ)，ＲＱ(ｎ)のうちΔｆ推定区間に属するものを用い、（２）式に基づいてΔｆの推定値を算出する。
【００３０】
なお、Δｆ推定区間を長く設定し、平均処理の標本数を増やすことで、Δｆの推定精度が向上する。
【００３１】
また、基地局からの過去の到来バーストでのΔｆの推定結果を用いてΔｆの推定値を更新することが可能であり、これによれば、各到来バーストのΔｆ推定区間を短くしても高精度の推定が実現される。例えば、過去の到来バーストの推定結果を次式のように平均化することで、順次、推定精度の向上したΔｆの推定値を得ることができる。
【００３２】
【数３】
Δｆ(ｋ)＝(１／ｋ)・δｆ(ｋ)＋Δｆ(ｋ−１)             ………（３）
但し、ｋは平均化の対象となる到来バースト数、Δｆ(ｋ)はｋ個の到来バーストについて平均化した周波数オフセットの推定値である。またδｆ(ｋ)は（ｋ−１）個の到来バーストに基づいたΔｆ(ｋ−１)の補償後に残留する周波数オフセットの推定値であり、ｋ番目の到来バーストに対して（２）式に基づいて得られるΔｆに相当する。
【００３３】
例えば、加入者局の電源投入後、数フレームのトレーニング期間を設けて周波数オフセットの推定のため平均化を行い、その後、実質的なデータ通信を開始するように構成することができる。
【００３４】
Δｆ補正回路１１６は、Δｆ推定回路１１４にて得られたΔｆ推定値を用いて、例えば次式に基づく処理により、受信データに対するΔｆの補償を行う。ここで、Ｒ(ｎ)，Ｒ'(ｎ)はそれぞれ補償前と補償後の受信複素ベースバンド信号である。復調回路１１８ａは、Ｒ'(ｎ)に基づいて復調処理を行うので、良好な受信特性が得られる。
【００３５】
【数４】
Ｒ'(ｎ)  ＝ Ｒ(ｎ)・exp(−２πｊｎＴΔｆ)              ………（４）
Δｆ補正回路６２は、Δｆ推定回路１１４にて得られたΔｆ推定値を用いて、例えば次式に基づく処理により、送信データに対するΔｆの補償を行う。ここで、Ｓ(ｎ)，Ｓ'(ｎ)はそれぞれ補償前と補償後の加入者局からの送信複素ベースバンド信号である。
【００３６】
【数５】
Ｓ'(ｎ)  ＝ Ｓ(ｎ)・exp(２πｊｎＴΔｆ)                ………（５）
このＳ'(ｎ)に基づいて加入者局５２から基地局５０への送信信号が生成される。基地局５０の復調回路１１８ｂの入力における受信複素ベースバンド信号は、加入者局５２にて行われた周波数オフセットの補償を反映したものである。すなわち、加入者局５２の送信系にて発振器７０ａ，７６ａにより与えられるキャリア周波数（ｆ１α＋ｆ１β）と基地局５０の受信系にて発振器７０ｂ，７６ｂにより与えられるキャリア周波数（ｆ２α＋ｆ２β）との差Δｆは、加入者局５２のΔｆ補正回路６２にて予め補償されているので、基地局５０ではその補償を行う必要がない。加入者局は１つの基地局に対して複数存在するが、各加入者局５２が受信系でのΔｆの補償を行うだけでなくΔｆ補正回路６２により送信系に対してもΔｆの補償を行うことにより、基地局５０は各加入者局５２毎に異なるΔｆの補償をいずれの加入者局５２に対しても行う必要がない。
【００３７】
【発明の効果】
本発明のＴＤＤ方式の無線通信システムによれば、通信を行う２つの送受信局間での周波数オフセットの推定及び補償をいずれか一方の送受信局のみで行うので、他方の送受信局の処理負荷が軽減され、また構成が簡素化される。さらに、システム全体として、データ伝送のスループットの低下を抑制しつつ受信特性が改善される。また推定時間が短縮されるので、良好な受信特性での通信が速やかに実現される。
【００３８】
特に、加入者系無線アクセスシステムでは、加入者局にて周波数オフセットの推定及び補償を行い、基地局では行わないように構成することにより、基地局の負荷が著しく軽減される。
【図面の簡単な説明】
【図１】  本発明の実施形態に係るＴＤＭＡ／ＴＤＤ方式の加入者系無線アクセスシステムの構成を示す概略のブロック図である。
【図２】  １つの基地局に対し複数の加入者局が接続される加入者系無線アクセスシステムの模式図である。
【図３】  ＴＤＤ方式によるバーストの時系列を示す模式図である。
【図４】  従来の加入者系無線アクセスシステムの構成を示すブロック図である。
【符号の説明】
５０  基地局、５２  加入者局、６０ａ，６０ｂ  変調回路、６２，１１６  Δｆ補正回路、６８ａ，６８ｂ  直交変調回路、７０ａ，７０ｂ，７６ａ，７６ｂ  発振器、７４ａ，７４ｂ，１０４ａ，１０４ｂ  混合器、１０８ａ，１０８ｂ  直交検波回路、１１４  Δｆ推定回路、１１８ａ，１１８ｂ  復調回路。
【図１】
0003738223.tif 000003
【図２】
0003738223.tif 000004
【図３】
0003738223.tif 000005
【図４】
0003738223.tif 000006